(57)【特許請求の範囲】
【請求項１】
第１太陽電池パネルと、モジュールの外側に向かって開口した第１外溝を含み、当該パネルの端部に設置された第１フレームと、を有する第１太陽電池モジュールと、
第２太陽電池パネルと、モジュールの外側に向かって開口した第２外溝を含み、当該パネルの端部に設置された第２フレームと、を有し、前記第１太陽電池モジュールとの間に隙間をあけて当該モジュールの棟側に隣り合って配置された第２太陽電池モジュールと、
屋根に固定され、前記第１太陽電池モジュールの棟側端部に設置された前記第１フレームと前記第２太陽電池モジュールの軒側端部に設置された前記第２フレームとが載せられるマウント金具と、
前記第１フレームの前記第１外溝に挿し込まれる第１係合部と、前記第２フレームの前記第２外溝に挿し込まれる第２係合部と、を有し、ボルトを用いて前記マウント金具に固定される固定金具と、
前記ボルトが締結されるベース金具と、
を備え、
前記固定金具は、
前記隙間内で回転することにより、前記第１及び前記第２係合部を前記第１及び前記第２外溝にそれぞれ挿し込み可能に構成されているか、
又は、前記第１係合部を有し、前記隙間に配置可能な第１金具と、前記第２係合部を有し、前記隙間に配置可能な第２金具と、で構成され、
前記マウント金具は、前記ベース金具を前記屋根の軒棟方向にスライド可能に支持するガイドレール部を有し、
前記固定金具は、前記ガイドレール部に挿入された前記ベース金具を介して前記マウント金具に固定されている、太陽光発電装置。
【請求項２】
前記第１フレームは、前記第１太陽電池モジュールの内側に張り出した第１内鍔部を有し、
前記ベース金具は、前記マウント金具の上端よりも上方に突出して前記第１内鍔部に係合する係合部を有する、請求項１に記載の太陽光発電装置。
【請求項３】
前記第２フレームは、前記第２太陽電池モジュールの内側に張り出した第２内鍔部を有し、
前記ベース金具は、前記マウント金具の上端よりも上方に突出して前記第２内鍔部の先端と対向配置される棟側立壁部を有する、請求項１又は２に記載の太陽光発電装置。
【請求項４】
前記固定金具は、前記隙間内で回転する平面視略平行多角形状の金具であって、
前記第１係合部の第１端面が、前記第１外溝の最奥部に沿って略当接し、且つ前記第１端面と略平行な前記第２係合部の第２端面が、前記第２外溝の最奥部に沿って略当接している、請求項１〜３のいずれか１項に記載の太陽光発電装置。
【請求項５】
前記固定金具は、前記第１金具と、前記第２金具と、で構成され、
前記第１金具は、前記ボルトを通す第１貫通孔が形成された第１基部と、前記第１係合部と、を有し、
前記第２金具は、前記第１基部と重ねて配置され、前記ボルトを通す第２貫通孔が形成された第２基部と、前記第２係合部と、を有する、請求項１〜３のいずれか１項に記載の太陽光発電装置。
【請求項６】
前記固定金具は、前記第１金具と、前記第２金具と、前記第１金具と前記第２金具とに跨って配置され、前記第１及び前記第２金具を上から押え付ける押え金具と、で構成される、請求項１〜３のいずれか１項に記載の太陽光発電装置。
【請求項７】
前記第１フレームと前記第２フレームとに跨って前記隙間上に配置されるカバーと、
前記第１フレームの前記第１外溝に挿し込まれて前記第１フレームに固定されると共に、前記カバーがネジ止めされる支持金具と、
を備える、請求項１〜６のいずれか１項に記載の太陽光発電装置。
【発明の詳細な説明】
【技術分野】
【０００１】
本開示は、太陽光発電装置に関する。
【背景技術】
【０００２】
太陽光発電装置は、屋根に複数の太陽電池モジュールを取り付けて構築されている。例えば、特許文献１には、軒側の太陽電池モジュールに係合する軒側係合フックと、棟側の太陽電池モジュールに係合する棟側係合フックとを含む固定具を備えた太陽光発電装置が開示されている。かかる固定具は、ネジを用いて屋根に固定されている。
【先行技術文献】
【特許文献】
【０００３】
【特許文献１】特開２０１５−２１４８７７号公報
【発明の概要】
【発明が解決しようとする課題】
【０００４】
ところで、太陽光発電装置において、良好な施工性、メンテナンス性を確保しながら、太陽電池モジュールを屋根に強固に固定できることは重要である。メンテナンス性に関して言えば、太陽光発電装置を構成する複数の太陽電池モジュールのうち一部のモジュールだけを容易に取り外して交換できることが求められている。
【課題を解決するための手段】
【０００５】
本開示の一態様である太陽光発電装置は、第１太陽電池パネルと、モジュールの外側に向かって開口した第１外溝を含み、当該パネルの端部に設置された第１フレームとを有する第１太陽電池モジュールと、第２太陽電池パネルと、モジュールの外側に向かって開口した第２外溝を含み、当該パネルの端部に設置された第２フレームとを有し、前記第１太陽電池モジュールとの間に隙間をあけて当該モジュールの棟側に隣り合って配置された第２太陽電池モジュールと、屋根に固定され、前記第１太陽電池モジュールの棟側端部に設置された前記第１フレームと前記第２太陽電池モジュールの軒側端部に設置された前記第２フレームとが載せられるマウント金具と、前記第１フレームの前記第１外溝に挿し込まれる第１係合部と、前記第２フレームの前記第２外溝に挿し込まれる第２係合部とを有し、ボルトを用いて前記マウント金具に固定される固定金具とを備え、前記固定金具は、前記隙間内で回転することにより、前記第１及び前記第２係合部を前記第１及び前記第２外溝にそれぞれ挿し込み可能に構成されているか、又は前記第１係合部を有し、前記隙間に配置可能な第１金具と、前記第２係合部を有し、前記隙間に配置可能な第２金具とで構成されている。
【発明の効果】
【０００６】
本開示の一態様によれば、良好な施工性、メンテナンス性を有すると共に、太陽電池モジュールを屋根に強固に固定可能な太陽光発電装置を提供できる。
【図面の簡単な説明】
【０００７】
【図１】実施形態の一例である太陽光発電装置の分解斜視図である。
【図２】実施形態の一例である太陽電池モジュールの断面図である。
【図３】実施形態の一例であるマウント金具の平面図である。
【図４】図３中のＡＡ線断面図である。
【図５】実施形態の一例であるベース金具の斜視図である。
【図６】ベース金具をマウント金具に取り付けた状態を示す横方向断面図である。
【図７】実施形態の一例である固定金具の斜視図である。
【図８Ａ】実施形態の一例である太陽光発電装置の取り付け構造を示す縦方向断面図である。
【図８Ｂ】図８Ａの一部を拡大して示す図である。
【図９】実施形態の他の一例である固定金具の斜視図である。
【図１０Ａ】実施形態の他の一例である太陽光発電装置の取り付け構造を示す縦方向断面図である。
【図１０Ｂ】図１０Ａの一部を拡大して示す図である。
【図１１】実施形態の他の一例である固定金具の斜視図である。
【図１２Ａ】実施形態の他の一例である太陽光発電装置の取り付け構造を示す縦方向断面図である。
【図１２Ｂ】図１２Ａの一部を拡大して示す図である。
【図１３】実施形態の他の一例である太陽光発電装置の取り付け構造を示す縦方向断面図である。
【発明を実施するための形態】
【０００８】
本開示の一態様である太陽光発電装置は、２枚の太陽電池モジュールを支持するマウント金具と、当該各モジュールの隙間に配置され、各モジュールフレームの外溝に挿し込まれてマウント金具に固定される固定金具とを備える。かかる構成によれば、２枚の太陽電池モジュールをマウント金具上に載せ、当該各モジュールの隙間に固定金具を取り付けるという簡単な方法によって、太陽光発電装置を施工できる。また、固定金具を取り外すことにより、例えば太陽光発電装置を構成する複数の太陽電池モジュールのうち１つのモジュールだけを容易に取り外して交換できる。各太陽電池モジュールは屋根にネジ止めされたマウント金具上に強固に固定され、優れた耐荷重性を有する太陽光発電装置が構築される。
【０００９】
以下、図面を参照しながら、実施形態の一例について詳細に説明する。実施形態において参照する図面は、模式的に記載されたものであるから、図面に描画された構成要素の寸法などは、以下の説明を参酌して判断されるべきである。本明細書において、「略〜」との記載は、略同じを例に説明すると、完全に同じであることはもとより、実質的に同じであると認められる場合を含む意図である。以下で説明する実施形態は例示であって、本開示の太陽光発電装置はこれに限定されない。
【００１０】
以下では、屋根の軒棟方向に沿うマウント金具等の方向を「縦方向」とし、屋根の桁方向（軒棟方向に垂直な方向）に沿うマウント金具等の方向を「横方向（左右）」とする。マウント金具が載置される屋根面（マウント金具が屋根材上に載置される場合は、屋根材の表面）に垂直な方向に沿うマウント金具等の方向を「上下方向」とする。図面には、屋根の軒棟方向・縦方向を矢印α、桁方向・横方向を矢印β、上下方向を矢印γで示す。特に断らない限り、マウント金具等の上端とは、当該上下方向における上端を意味する。
【００１１】
図１は、実施形態の一例である太陽光発電装置１０の分解斜視図である。図１に例示するように、太陽光発電装置１０は、太陽電池モジュール１１Ａ（第１太陽電池モジュール）と、太陽電池モジュール１１Ｂ（第２太陽電池モジュール）と、マウント金具３０と、固定金具５０とを備える。太陽電池モジュール１１Ａは、太陽電池パネル１２Ａ（第１太陽電池パネル）と、モジュールの外側に向かって開口した第１外溝である外溝２４Ａ（後述の図８Ａ参照）を含み、当該パネルの端部に設置されたフレーム１３Ａ（第１フレーム）とを有する。太陽電池モジュール１１Ｂは、太陽電池パネル１２Ｂ（第２太陽電池パネル）と、モジュールの外側に向かって開口した第２外溝である外溝２４Ｂ（図８Ａ参照）を含み、当該パネルの端部に設置されたフレーム１３Ｂ（第２フレーム）とを有する。太陽電池モジュール１１Ｂは、太陽電池モジュール１１Ａとの間に隙間Ｓ（図８Ａ参照）をあけて太陽電池モジュール１１Ａの棟側に隣り合って配置されている。
【００１２】
太陽光発電装置１０は、屋根１００に複数の太陽電池モジュール１１（１１Ａ，１１Ｂ）を取り付けて構築されている。本明細書では、説明の便宜上、軒棟方向に隣り合って配置される２枚の太陽電池モジュール１１について、軒側に配置されるモジュールを太陽電池モジュール１１Ａ、棟側に配置されるモジュールを太陽電池モジュール１１Ｂとする。本実施形態では、全ての太陽電池モジュール１１が同じ形状を有するものとする。
【００１３】
詳しくは後述するが、マウント金具３０は、屋根１００に固定され、太陽電池モジュール１１Ａの棟側端部に設置されたフレーム１３Ａと太陽電池モジュール１１Ｂの軒側端部に設置されたフレーム１３Ｂとが載せられる金具である。固定金具５０は、フレーム１３Ａの外溝２４Ａに挿し込まれる第１係合部５２（図８Ｂ等参照）と、フレーム１３Ｂの外溝２４Ｂに挿し込まれる第２係合部５３（図８Ｂ等参照）とを有し、ボルト１６を用いてマウント金具３０に固定される金具である。固定金具５０は、隙間Ｓ内で回転することにより、第１係合部５２及び第２係合部５３を外溝２４Ａ，２４Ｂにそれぞれ挿し込み可能に構成されている。
【００１４】
なお、固定金具は、第１係合部を有し、隙間Ｓに配置可能な第１金具と、第２係合部を有し、隙間Ｓに配置可能な第２金具とで構成されていてもよい（後述の太陽光発電装置１０Ｘ，１０Ｙ参照）。
【００１５】
本実施形態では、マウント金具３０上にアース金具１５が設けられ、フレーム１３Ａ，１３Ｂはアース金具１５を介してマウント金具３０上に設置されている。太陽光発電装置１０は、ボルト１６が締結されるベース金具４０を備え、マウント金具３０は、ベース金具４０を軒棟方向にスライド可能に支持するガイドレール部３４を有することが好ましい。そして、固定金具５０は、ガイドレール部３４に挿入されたベース金具４０を介してマウント金具３０に固定される。
【００１６】
太陽光発電装置１０は、屋根材１０１が敷設された屋根１００に取り付けられている。屋根材１０１は、例えばスレート瓦である。屋根材１０１は、棟側の屋根材１０１を軒側の屋根材１０１の一部に重ねながら軒棟方向に配置されるため、屋根材１０１が重なり合った部分には段差が形成される。なお、太陽光発電装置１０が取り付けられる屋根は屋根１００に限定されない。
【００１７】
太陽光発電装置１０は、屋根材１０１上に配置された複数のマウント金具３０上に太陽電池モジュール１１を固定することで構築されている。マウント金具３０は、例えば、屋根材１０１及びスペーサ１０５上に載置されて屋根１００の野地板１０２（後述の図８Ａ参照）にネジ止めされる。スペーサ１０５は、屋根材１０１間に形成された段差部分に設けられ、当該段差を埋めてマウント金具３０の安定した取り付けを可能とする。マウント金具３０を屋根材１０１及びスペーサ１０５上に直接配置することで、屋根面（屋根材１０１の表面）からの太陽電池モジュール１１の高さを低くすることができ、屋根１００と太陽光発電装置１０の一体感が向上する。
【００１８】
太陽電池モジュール１１は、上述のように、太陽電池パネル１２と、フレーム１３とを有する。太陽電池パネル１２は、例えば、複数の太陽電池セルが２枚の保護部材で挟持された略平坦なパネルである。フレーム１３は、例えば、アルミニウムを主成分とする金属材料を押出成形して形成され、太陽電池パネル１２の四方を囲んで設置される。フレーム１３の表面には、一般的に塗膜が形成されている。
【００１９】
太陽電池モジュール１１は、ベース金具４０、固定金具５０、及びボルト１６を用い、フレーム１３を利用してマウント金具３０に固定される。図１に示す例では、平面視略矩形形状を有する太陽電池モジュール１１の短辺方向が軒棟方向と略平行となるように、複数の太陽電池モジュール１１が配置されている。桁方向に隣り合う太陽電池モジュール１１同士は略接触した状態で配置され、軒棟方向に隣り合う太陽電池モジュール１１同士（太陽電池モジュール１１Ａ，１１Ｂ）は隙間Ｓをあけて配置されている。
【００２０】
太陽電池モジュール１１は、軒側端部の２箇所と棟側端部の２箇所の合計４箇所でマウント金具３０に固定されることが好ましい。１枚の太陽電池モジュール１１の裏側には、例えば当該モジュールの軒側端部の左右に対応する位置と、棟側端部の左右に対応する位置とにマウント金具３０が配置される。太陽電池モジュール１１Ａ，１１Ｂの境界部に配置されるマウント金具３０には、当該２枚の太陽電池モジュールのフレーム１３Ａ，１３Ｂが載せられる。
【００２１】
太陽光発電装置１０の軒側端部及び棟側端部は、マウント金具３０、ベース金具４０、及び固定金具５０を用いて屋根１００に固定されてもよく、専用の金具を用いて固定されてもよい。
【００２２】
図１に示す例では、複数のマウント金具３０が軒棟方向及び桁方向に並んで配置されている。軒棟方向に並ぶ各マウント金具３０は、各太陽電池モジュール１１の軒棟方向に沿った長さに合わせて、軒棟方向に一定の間隔をあけて配置される。各マウント金具３０は、ガイドレール部３４が軒棟方向に沿うように屋根１００に固定される。フレーム１３Ａ，１３Ｂは、ガイドレール部３４と略直交するようにマウント金具３０上に載せられる。
【００２３】
図２は、太陽電池モジュール１１の端部の断面図である。図２に例示するように、太陽電池パネル１２の端部に設置されるフレーム１３は、中空の角柱形状を有する本体部２０と、モジュールの内側に向かって開口した内溝２２と、モジュールの外側に向かって開口した外溝２４とを有する。また、フレーム１３はモジュールの内側に張り出した内鍔部２５を有する。本体部２０、外溝２４、及び内鍔部２５は、太陽電池パネル１２の裏側に位置し、特に外溝２４と内鍔部２５は、マウント金具３０に対する太陽電池モジュール１１の固定に使用される。
【００２４】
フレーム１３は、本体部２０の上面に立設した鉤部２１を有し、本体部２０の上面と鉤部２１との間に太陽電池パネル１２を挿入可能な隙間である内溝２２が形成される。鉤部２１は、本体部２０の外側から上方に真っ直ぐ延び、途中で内側に折れ曲がって断面略Ｌ字状に形成されている。即ち、鉤部２１は太陽電池パネル１２の上下方向に沿った側面を覆い、太陽電池パネル１２の受光面上に張り出している。鉤部２１の受光面上に張り出す部分の長さは、例えば本体部２０の幅と略同一である。フレーム１３には、内鍔部２５と反対側（外側）に延びた底板２３が設けられ、本体部２０の下面と底板２３との間に外溝２４が形成される。底板２３は、内鍔部２５と共にフレーム１３の底面を形成する。
【００２５】
図３はマウント金具３０の平面図、図４は図３中のＡＡ線断面図である。図３及び図４に例示するように、マウント金具３０は、ベース金具４０が載せられる基部３１と、基部３１の下部から左右にそれぞれ張り出したフランジ部３２とを有する。マウント金具３０は、屋根面に沿って配置される板状の固定部であって、当該金具を屋根１００に固定するためのネジを通す貫通孔が形成された固定部を有する。貫通孔は、固定部の端から１０ｍｍ以上離れた位置に形成されていることが好ましい。本実施形態では、固定部としてフランジ部３２が設けられている。
【００２６】
マウント金具３０は、軒棟方向に沿う縦方向に長い形状を有する。マウント金具３０の棟側縁部３０ｂは、屋根１００の軒棟方向及び桁方向に対して傾斜していることが好ましい。ガイドレール部３４は軒棟方向に沿って真っ直ぐに延びることが好ましいため、棟側縁部３０ｂの切断面を縦方向及び横方向に対して斜めに形成することで、棟側縁部３０ｂを傾斜させることが好適である。この場合、施工性を損なうことなく、雨水等の排水性を向上させることができる。つまり、雨水等はマウント金具３０によって堰き止められず、傾斜した棟側縁部３０ｂに沿って流れる。
【００２７】
マウント金具３０の軒側縁部３０ａは、屋根１００の軒棟方向及び桁方向に対して棟側縁部３０ｂと略同じ角度で傾斜していることが好ましい。即ち、軒側縁部３０ａは棟側縁部３０ｂと略平行に形成されていることが好ましい。軒側縁部３０ａの傾斜は排水性に影響を与えないが、一般的に、マウント金具３０は長尺状の部材を切断して製造されるため、各端部を同じ方向に同じ角度で切断することで材料の無駄を無くすことができる。なお、軒棟方向の墨出しに利用されるＶ溝、刻印等の目印をマウント金具３０に形成してもよい。当該目印は、例えば軒側縁部３０ａの近傍における上壁部３１ａの上面中央に形成される。
【００２８】
マウント金具３０の棟側縁部３０ｂは、屋根１００の桁方向に対して約３°〜１５°の角度θで傾斜していることが好ましい。角度θが当該範囲内であれば、良好な施工性と排水性を両立し易くなる。軒側縁部３０ａについても、桁方向に対して約３°〜１５°の角度θで傾斜していることが好ましい。マウント金具３０は、例えば、対角の大きさが略等しい平面視略平行四辺形状を有する。
【００２９】
基部３１は、ベース金具４０が載せられる上壁部３１ａと、上壁部３１ａの横方向両端部から下方に延び、上壁部３１ａとフランジ部３２をつなぐ側壁部３１ｂとを有する。基部３１は、例えば、上壁部３１ａに対して各側壁部３１ｂが略垂直に形成されている。上壁部３１ａの横方向中央部には、縦方向全長にわたって下方に窪んだ凹部３１ｃが形成されている。凹部３１ｃを設けることで、ベース金具４０に固定されるボルト１６の軸部の先端が上壁部３１ａと干渉することを防止できる。
【００３０】
基部３１上には、鉤部３３が形成されている。マウント金具３０には、上壁部３１ａの横方向両端部に一対の鉤部３３がそれぞれ立設している。鉤部３３は、上壁部３１ａの横方向両端部から上方に真っ直ぐ延び、途中で内側に折れ曲がって断面略Ｌ字状に形成されている。上壁部３１ａと鉤部３３とによって、ベース金具４０を縦方向にスライド可能に支持するガイドレール部３４が形成される。
【００３１】
基部３１の上壁部３１ａは、凹部３１ｃ以外の部分において屋根面に接触するフランジ部３２よりも高い位置に形成されている。このため、上壁部３１ａの下には屋根面との間に空間が設けられる。マウント金具３０は、軒棟方向に沿った縦方向の全長にわたって、屋根面との間に空間を設けて形成された排水溝３７を有することが好ましい。マウント金具３０には、凹部３１ｃの左右に排水溝３７が形成されている。排水溝３７を設けることにより、太陽光発電装置１０の設置箇所における屋根１００の排水性がさらに向上する。
【００３２】
フランジ部３２は、基部３１の下部から外側に張り出し、マウント金具３０の縦方向の全長にわたって形成されている。フランジ部３２は、基部３１の内側、即ち上壁部３１ａの下にも延出していることが好ましい。基部３１の内側に延出する部分の横方向長さは、鉤部３３の横方向長さよりも短くてよい。基部３１の各側壁部３１ｂは、例えば、フランジ部３２に対して略垂直に形成されている。各フランジ部３２には、ネジ１０７（後述の図８Ａ参照）を通す貫通孔３５が軒棟方向に並んで複数形成されている。
【００３３】
貫通孔３５は、上述のように、フランジ部３２の端から１０ｍｍ以上離れた位置に形成されることが好ましい。貫通孔３５をフランジ部３２の端から離して形成することにより、ネジ１０７が取り付けられる部分に雨水等が浸入し難くなる。貫通孔３５は、例えば、フランジ部３２の縦方向に沿った外側の端である外端３２ａ、及びフランジ部３２の縦方向両端（軒側縁部３０ａ及び棟側縁部３０ｂ）から１０ｍｍ以上離れた位置に形成される。また、貫通孔３５は、フランジ部３２の縦方向に沿った内側の端であって排水溝３７と接する内端３２ｂからも１０ｍｍ以上離れた位置に形成されることが好ましい。貫通孔３５は、例えば外端３２ａ及び内端３２ｂから略等距離の位置に形成される。
【００３４】
マウント金具３０には、各太陽電池モジュール１１から引き出される配線を固定するための結束バンド（図示せず）を通す結束バンド用孔３６が形成されていてもよい。図３に示す例では、上壁部３１ａの縦方向両端部に２つずつ合計４つの結束バンド用孔３６が形成されている。例えば、屋根１００の桁方向に延びる配線は、結束バンド用孔３６に通された結束バンドを用いて、マウント金具３０の軒側端部又は棟側端部に固定される。
【００３５】
マウント金具３０には、施工時に使用される位置合わせマーク３８が設けられていてもよい。図３に示す例では、各フランジ部３２の上面において外端３２ａから横方向に延びる線状の位置合わせマーク３８が形成されている。左右のフランジ部３２に形成された各位置合わせマーク３８は、横方向に並んで同一直線上に形成されている。マウント金具３０は、例えば、位置合わせマーク３８が屋根材１０１の軒側縁部と一致するように、屋根１００上に配置される。
【００３６】
図５はベース金具４０の斜視図、図６はベース金具４０をマウント金具３０に取り付けた状態を示す横方向断面図である。図５及び図６に例示するように、ベース金具４０は、固定金具５０を固定するボルト１６が締結される基部４１と、マウント金具３０のガイドレール部３４に挿し込まれる延出部４２とを有する。基部４１は、マウント金具３０の各鉤部３３の間に配置可能な幅を有し、軒棟方向に沿う縦方向に長く形成されている。
【００３７】
延出部４２は、基部４１の左右から張り出している。延出部４２がガイドレール部３４に挿し込まれることで、ベース金具４０がマウント金具３０に係合してベース金具４０が上方に抜けなくなる。延出部４２は、根元で上方に小さく折れ曲がり、その上面は基部４１の上面よりも少し上に位置する。延出部４２の上面は略平坦であり、例えば、基部４１にボルト１６が締結されることでガイドレール部３４を形成する鉤部３３の下面に当接し、マウント金具３０に対してベース金具４０が強固に固定される。他方、ボルト１６が締結されるまでは、ガイドレール部３４に沿ってベース金具４０をスライドさせることができる。
【００３８】
ベース金具４０は、係合部４３と、棟側立壁部４４とを有していてもよい。フレーム１３Ａ，１３Ｂは、上述のように、太陽電池モジュール１１Ａ，１１Ｂの裏側において、太陽電池モジュール１１Ａ，１１Ｂの内側に張り出した内鍔部２５Ａ，２５Ｂをそれぞれ有する。後述の図８に例示するように、係合部４３は、マウント金具３０の上端よりも上方に突出してフレーム１３Ａの内鍔部２５Ａ（第１内鍔部）に係合する。棟側立壁部４４は、マウント金具３０の上端よりも上方に突出してフレーム１３Ｂの内鍔部２５Ｂ（第２内鍔部）の先端と対向配置される。
【００３９】
係合部４３は、基部４１の軒側端部（縦方向一端部）において、基部４１との間に内鍔部２５Ａを挿入可能な隙間をあけて断面略Ｌ字状に形成される。棟側立壁部４４は、フレーム１３Ｂの設置に支障がない高さで、内鍔部２５Ｂの先端と対面する位置に形成される。棟側立壁部４４は、例えば、基部４１の棟側端部（縦方向他端部）と縦方向中央部との間で基部４１を構成する金属板の一部を上方に折り曲げて形成されるため、当該折り曲げを可能とすべく、棟側立壁部４４の軒側には開口部４８が形成されている。
【００４０】
ベース金具４０には、ボルト１６が螺合されるボルト締結部４６、及び仮止めボルト１７（後述の図８Ａ参照）が螺合される仮止めボルト締結部４７が形成されることが好ましい。ボルト締結部４６は、基部４１の係合部４３と棟側立壁部４４の間であって、マウント金具３０の凹部３１ｃと上下方向に重なる部分に形成されている。仮止めボルト締結部４７は、基部４１の棟側立壁部４４よりも棟側部分に形成されている。各ボルト締結部は、例えば、基部４１を構成する金属板をバーリング加工及びネジ加工して形成される。
【００４１】
図７は、固定金具５０の斜視図である。図７に例示するように、固定金具５０は、ボルト１６を通す貫通孔５５が形成された基部５１と、基部５１から軒側に延出した第１係合部５２と、基部５１から棟側に延出した第２係合部５３とを有する。第１係合部５２はフレーム１３Ａの外溝２４Ａに挿し込まれる部分であって、第２係合部５３はフレーム１３Ｂの外溝２４Ｂに挿し込まれる部分である。固定金具５０は、第１係合部５２と第２係合部５３が基部５１で連結され、各係合部が一体となった金具である。
【００４２】
固定金具５０は、基部５１と各係合部とが並ぶ方向に長くなった平面視略平行四辺形状の金具である。固定金具５０の平面視形状は特に限定されないが、長方形を除く平行四辺形状であることが好ましい。固定金具５０の軒側縁部５０ａと棟側縁部５０ｂ、即ち第１係合部５２の軒側縁部と第２係合部５３の棟側縁部は、互いに略平行であり、当該平行四辺形の短辺を形成する。当該平行四辺形の鈍角となる２つの角部は、例えば１２０°の角度で形成されている。鋭角となる２つの角部は、面取りされていてもよい。なお、固定金具５０の平面視形状は、平行六角形等の他の平行多角形状としてもよい。
【００４３】
固定金具５０が平面視略平行四辺形状である場合、固定金具５０の長さ（長辺の長さ）は、例えば、隙間Ｓの幅以上、且つフレーム１３Ａの外溝２４Ａの最奥部からフレーム１３Ｂの外溝２４Ｂの最奥部までの長さ以下である。固定金具５０は、平行四辺形の短辺を形成する軒側縁部５０ａ及び棟側縁部５０ｂが外溝２４Ａ，２４Ｂの最奥部にそれぞれ当接する長さを有していてもよい。また、長辺が横方向を向くように固定金具５０を回転させたときに各係合部が外溝２４Ａ，２４Ｂから完全に抜けるように、固定金具５０の幅（短辺の長さ）は隙間Ｓの幅未満であることが好ましい。固定金具５０の厚みは、外溝２４Ａ，２４Ｂに挿し込み可能な厚みであればよい。
【００４４】
固定金具５０は、基部５１と第１係合部５２の境界部で上方に小さく折れ曲がり、第１係合部５２の下面は基部５１の下面よりも少し上に位置する。後述の図８に例示するように、屋根面の傾斜の関係上、フレーム１３Ａの底板２３Ａの先端はマウント金具３０上から少し浮き上がる。このため、基部５１と第１係合部５２の境界部に段差を形成することで、フレーム１３Ａ，１３Ｂに対する固定金具５０の取り付けが容易になる。
【００４５】
固定金具５０は、第１係合部５２及び第２係合部５３が先端（軒側縁部５０ａ及び棟側縁部５０ｂ）に向かって緩やかに下がるように僅かに湾曲又は屈曲していてもよい。図７に示す例では、基部５１と第２係合部５３の境界部に段差は存在しないが、当該境界部に段差を形成してもよい。
【００４６】
基部５１は、ボルト１６が取り付けられる部分であって、略真円形状の貫通孔５５を有する。貫通孔５５は、例えば、平面視略平行四辺形状の固定金具５０の対角線の交点を中心として形成される。基部５１には、２つの器具挿入孔５６が形成されていてもよい。各器具挿入孔５６は、貫通孔５５よりも小さな孔であって、貫通孔５５を挟んで形成される。貫通孔５５と各器具挿入孔５６は、例えば略同一直線上に位置する。固定金具５０は隙間Ｓ内で回転可能であるが、例えば、当該回転操作時に二股構造の器具（図示せず）を器具挿入孔５６に挿入して、ボルト１６を中心に固定金具５０を回転させることができる。
【００４７】
第１係合部５２は基部５１の軒側端部から軒側に延出しており、第２係合部５３は基部５１の棟側端部から棟側に延出している。各係合部は、下方に突出する突起５４をそれぞれ有することが好ましい。突起５４は、各係合部の横方向両端部に形成されている。突起５４は、例えば各係合部を構成する金属板を上面側からプレスして形成される。
【００４８】
図８Ａ，Ｂは、太陽光発電装置１０の取り付け構造を示す縦方向断面図であって、マウント金具３０、ベース金具４０、及び固定金具５０を用いて、太陽電池モジュール１１Ａの棟側端部及び太陽電池モジュール１１Ｂの軒側端部を屋根１００に固定する構造を示す。
【００４９】
図８Ａ，Ｂに例示するように、マウント金具３０上には、アース金具１５を介して、太陽電池モジュール１１Ａの棟側端部に設置されたフレーム１３Ａと、太陽電池モジュール１１Ｂの軒側端部に設置されたフレーム１３Ｂとが載せられている。そして、第１係合部５２がフレーム１３Ａの外溝２４Ａに挿し込まれ、第２係合部５３がフレーム１３Ｂの外溝２４Ｂに挿し込まれた固定金具５０が、ベース金具４０にボルト１６を用いて締結されている。ボルト１６には、例えば頭部に六角レンチを挿入可能なレンチ穴付きのボルトが使用される。
【００５０】
マウント金具３０は、板状の固定部であるフランジ部３２に取り付けられたネジ１０７によって屋根１００の野地板１０２に固定される。図８に示す例では、位置合わせマーク３８と屋根材１０１の軒側縁部とが一致するようにマウント金具３０が配置され、マウント金具３０の棟側部分が屋根材１０１上に、軒側部分がスペーサ１０５上に固定されている。一部のネジ１０７は、フランジ部３２の貫通孔３５とスペーサ１０５の貫通孔１０６に通され、屋根材１０１を貫通して野地板１０２に固定される。ネジ１０７には、例えばパッキン付きの木ネジが使用される。マウント金具３０と屋根材１０１及びスペーサ１０５との間には、ゴム製シート１０３（例えば、ブチルゴムシート）が設けられている。
【００５１】
太陽電池モジュール１１Ａ，１１Ｂは、太陽電池パネル１２Ａ，１２Ｂが屋根１００の野地板１０２と略平行となるようにマウント金具３０上に固定される。屋根材１０１の表面である屋根面は野地板１０２と平行ではないので、フレーム１３Ａ，１３Ｂが載せられるマウント金具３０の上端（鉤部３３の上面）も野地板１０２と平行にならない。このため、フレーム１３Ａの底板２３Ａの先端がマウント金具３０上から少し浮き上がり、マウント金具３０の上端からの外溝２４Ａ，２４Ｂの高さは外溝２４Ａの方が僅かに高くなる。このため、固定金具５０の基部５１と第１係合部５２の境界部には上述の段差が形成されている。また、鉤部２１Ａ，２１Ｂの高さも鉤部２１Ａの方が僅かに高くなる。
【００５２】
ベース金具４０は、マウント金具３０のガイドレール部３４（図４等参照）に挿入されている。ガイドレール部３４は、上述のように、マウント金具３０の軒棟方向に沿った縦方向の全長にわたって形成されている。このため、マウント金具３０上にフレーム１３Ａ，１３Ｂが載せられてボルト１６が締結されるまでは、マウント金具３０から食み出さない範囲でベース金具４０を軒棟方向にスライドさせることができる。フレーム１３Ａ，１３Ｂはマウント金具３０上のベース金具４０が取り付けられた部分に載せられるが、ベース金具４０は上記のようにスライド可能であるため、フレーム１３Ａ，１３Ｂの配置の自由度が高く施工性に優れる。
【００５３】
ベース金具４０は、フレーム１３Ａ，１３Ｂを配置する際に軒棟方向に動かないように、仮止めボルト１７を用いて仮止めすることができる。仮止めボルト１７は、ベース金具４０の基部４１に形成された仮止めボルト締結部４７に螺合され、軸部の先端がマウント金具３０の上壁部３１ａに押し付けられて、マウント金具３０の目的とする位置にベース金具４０を仮止めする。ベース金具４０の位置は、仮止めボルト１７を緩めることで容易に調整できる。
【００５４】
フレーム１３Ａは、アース金具１５を介してマウント金具３０の鉤部３３上に載せられ、且つベース金具４０のボルト締結部４６に対応する位置よりも軒側に配置される。アース金具１５は、上方に突出した突起と、ボルト１６及び後述のスペーサ９０を通す貫通孔とを有する。アース金具１５の突起が、フレーム１３Ａの表面に形成された塗膜を突き破ってフレーム１３Ａの底面に食い込むことでアースをとることができる。アース金具１５の突起は、フレーム１３Ｂの底面に対しても同様に食い込む。
【００５５】
フレーム１３Ａの軒側にはベース金具４０の係合部４３が立設しており、係合部４３がフレーム１３Ａの内鍔部２５Ａ上に張り出して係合する。換言すると、内鍔部２５Ａがベース金具４０の基部４１と係合部４３との間に挿し込まれた状態である。内鍔部２５Ａは、例えば太陽電池モジュール１１Ａに負圧が作用したときに、係合部４３によって上から押えられる。
【００５６】
フレーム１３Ｂは、アース金具１５を介してマウント金具３０の鉤部３３上に載せられ、且つベース金具４０のボルト締結部４６に対応する位置よりも棟側に配置される。つまり、フレーム１３Ｂは、フレーム１３Ａとの間にボルト１６を通す隙間Ｓをあけて配置されている。フレーム１３Ｂの棟側には、内鍔部２５Ｂの先端と対面する位置に棟側立壁部４４が設けられているため、太陽電池モジュール１１Ｂの棟側への移動が防止される。
【００５７】
固定金具５０は、第１係合部５２がフレーム１３Ａの外溝２４Ａに、第２係合部５３がフレーム１３Ｂの外溝２４Ｂにそれぞれ挿し込まれることで、フレーム１３Ａ，１３Ｂに跨って取り付けられている。固定金具５０を固定するボルト１６は、基部５１の貫通孔５５に通され、ベース金具４０のボルト締結部４６に螺合している。ベース金具４０に締結されたボルト１６が基部５１を上から押圧することで、外溝２４Ａ，２４Ｂに挿し込まれた各係合部の突起５４（図７参照）が底板２３Ａ，２３Ｂの上面に強く当接している。
【００５８】
固定金具５０は、隙間Ｓの下部で回転可能に構成されている。固定金具５０は、例えば回転可能な程度でベース金具４０にボルト止めされた後、ボルト１６の中心軸を中心として回転する。具体的には、ボルト１６の軒側に太陽電池モジュール１１Ａを配置した状態で、上記二股構造の器具を用いて固定金具５０を回転させることで、第１係合部５２を外溝２４Ａに挿し込むことができる。そして、ボルト１６の棟側に太陽電池モジュール１１Ｂを配置し、外溝２４Ｂに第２係合部５３を挿し込むことにより、フレーム１３Ａ，１３Ｂに跨って固定金具５０が取り付けられる。ボルト１６は、例えば第２係合部５３が外溝２４Ｂに挿し込まれた後、ベース金具４０に締結される。
【００５９】
なお、各係合部が外溝２４Ａ，２４Ｂに挿し込まれた固定金具５０をボルト１６の中心軸を中心に回転させることで、各係合部を外溝２４Ａ，２４Ｂから抜いて固定金具５０をフレーム１３Ａ，１３Ｂから取り外すことができる。具体的には、ボルト１６を緩めて固定金具５０の幅方向が横方向に沿うように固定金具５０を回転させることにより、各係合部を外溝２４Ａ，２４Ｂから抜くことができる。即ち、太陽光発電装置１０の取り付け構造では、ボルト１６を中心に固定金具５０を回転させることで、フレーム１３Ａ，１３Ｂの外溝２４Ａ，２４Ｂに対して各係合部を挿抜可能である。
【００６０】
固定金具５０が平面視平行多角形状、好ましくは略平行四辺形状である場合、外溝２４Ａに挿し込まれた第１係合部５２の軒側縁部（軒側縁部５０ａ）の端面が、外溝２４Ａの最奥部に沿って略当接していてもよい。また、外溝２４Ｂに挿し込まれた第２係合部５３の棟側縁部（棟側縁部５０ｂ）の端面が、外溝２４Ｂの最奥部に沿って略当接していてもよい。各係合部が外溝２４Ａ，２４Ｂの奥まで挿し込まれることで、フレーム１３Ａ，１３Ｂを押えることができる。固定金具５０の平面視形状が長方形を除く略平行四辺形状であれば、各係合部の端面が外溝２４Ａ，２４Ｂの最奥部に沿って当接する状態で取り付けられても、幅方向（長辺）が横方向に沿うように固定金具５０を回転させることができる。
【００６１】
つまり、固定金具５０は、隙間Ｓ内で回転する平面視略平行多角形状の金具であって、第１係合部５２の第１端面が外溝２４Ａの最奥部に沿って略当接し、且つ第２係合部５３の第２端面が外溝２４Ｂの最奥部に沿って略当接していることが好ましい。本実施形態において、第１係合部５２の第１端面とは、平行四辺形の一方の短辺を形成する軒側縁部５０ａの端面である。第２係合部５３の第２端面とは、第１端面と略平行な、平行四辺形の他方の短辺を形成する棟側縁部５０ｂの端面である。
【００６２】
固定金具５０とベース金具４０の間には、固定金具５０の基部５１を支持するスペーサ９０が設けられていてもよい。スペーサ９０は、例えばボルト１６を通す筒状体であって、筒の孔と貫通孔５５及びボルト締結部４６とが一致するようにベース金具４０上に配置される。図８に示す例では、フレーム１３Ａ，１３Ｂの底板２３Ａ，２３Ｂの各先端部が、マウント金具３０の上端から上方に突出して隙間Ｓに挿し込まれたスペーサ９０の上端部にそれぞれ略当接している。
【００６３】
太陽光発電装置１０の上記取り付け構造では、ボルト１６がベース金具４０のボルト締結部４６に螺合されることで、固定金具５０がフレーム１３Ａ，１３Ｂの底板２３Ａ，２３Ｂに強く当接すると共に、ベース金具４０がマウント金具３０に強固に固定される。ボルト１６をボルト締結部４６に螺合すると、ベース金具４０が上方に持ち上がり、ガイドレール部３４に挿入された延出部４２が鉤部３３に強く当接した状態となる。
【００６４】
太陽光発電装置１０は、フレーム１３Ａとフレーム１３Ｂとに跨って隙間Ｓ上に配置されるカバー８０と、フレーム１３Ａの外溝２４Ａに挿し込まれてフレーム１３Ａに固定されると共に、カバー８０がネジ止めされる支持金具８５とを備えていてもよい。カバー８０は、例えば、太陽電池モジュール１１の長辺と略同じ長さを有し、隙間Ｓ上の全体を覆う。カバー８０は、フレーム１３Ａからフレーム１３Ｂに跨って取り付けられ隙間Ｓを覆う基部８１と、基部８１から下方に延出して隙間Ｓに挿し込まれる２つの脚部８２とを有する。各脚部８２は、例えば互いに平行に形成される。
【００６５】
カバー８０は、基部８１の軒側部分がフレーム１３Ａの鉤部２１Ａ上に配置され、基部８１の棟側部分がフレーム１３Ｂの鉤部２１Ｂ上に配置される。軒側の脚部８２はフレーム１３Ａの上下方向に沿った側面に当接し、棟側の脚部８２はフレーム１３Ｂの上下方向に沿った側面に当接している。上述のように、マウント金具３０の上端からの鉤部２１Ａ，２１Ｂの高さは鉤部２１Ａの方がやや高くなるため、例えば、基部８１は軒側部分が棟側部分よりもやや上方に位置するように傾斜している。また、鉤部２１Ａ，２１Ｂの先端部は上面が先端に向かって下方に傾斜しているため、基部８１の先端部も鉤部の形状に合わせて下方に小さく折れ曲がっている。
【００６６】
支持金具８５は、フレーム１３Ａ，１３Ｂの隙間Ｓ内に配置され、支持金具８５の上部が基部８１の裏面に当接している。カバー８０は、基部８１の幅方向中央部を貫通するネジ８６を用いて支持金具８５の上部に固定される。
【００６７】
支持金具８５は、フレーム１３Ａの外溝２４Ａに挿し込まれる爪部８８を有することが好ましい。爪部８８は、例えば、支持金具８５の下部を上部と反対側（軒側）に折り曲げて形成される。支持金具８５は、フレーム１３Ａの本体部２０Ａに沿って下方に延び、ネジ８７を用いて本体部２０Ａに固定されると共に、爪部８８が外溝２４Ａに挿し込まれることでフレーム１３Ａに固定されている。ネジ８６，８７には、例えばドリルネジが使用される。
【００６８】
上述のように、太陽光発電装置１０は、施工が容易であるにも関わらず、各太陽電池モジュール１１を屋根１００に強固に固定でき、優れた耐荷重性を有する。太陽光発電装置１０では、例えば目的の太陽電池モジュール１１を固定するボルト１６を緩めて固定金具５０を回転させることにより、各係合部を外溝２４Ａ，２４Ｂから抜いて固定金具５０をフレーム１３Ａ，１３Ｂから取り外すことができる。
【００６９】
つまり、太陽光発電装置１０の端部に位置しない太陽電池モジュール１１であっても、周囲の太陽電池モジュール１１を取り外すことなく目的とする１枚の太陽電池モジュール１１だけを容易に取り外して交換することが可能である。このように、太陽光発電装置１０はメンテナンス性にも優れる。
【００７０】
次に、図９及び図１０Ａ，Ｂを参照しながら、実施形態の他の一例である太陽光発電装置１０Ｘについて詳説する。以下では、上述の太陽光発電装置１０と共通する構成要素には同じ符号を用いて重複する説明を省略する。太陽光発電装置１０Ｘ（図１０Ａ参照）は、固定金具５０に変えて固定金具６０（図９参照）を用いている点で、太陽光発電装置１０と異なる。また、固定金具６０とベース金具４０の間にスペーサは設けられていない。太陽光発電装置１０Ｘは、その他の点において太陽光発電装置１０と共通する。
【００７１】
図９は、固定金具６０の斜視図である。図９に例示するように、固定金具６０は、第１金具６１Ａと、第２金具６１Ｂとで構成されている。第１金具６１Ａは、ボルト１６を通す貫通孔６５Ａ（第１貫通孔）が形成された第１基部６２Ａと、第１係合部６３Ａとを有する。第２金具６１Ｂは、第１基部６２Ａと重ねて配置され、ボルト１６を通す貫通孔６５Ｂ（第２貫通孔）が形成された第２基部６２Ｂと、第２係合部６３Ｂとを有する。第１係合部６３Ａは、フレーム１３Ａの外溝２４Ａに挿し込まれる部分である。第２係合部６３Ｂは、フレーム１３Ｂの外溝２４Ｂに挿し込まれる部分である。
【００７２】
固定金具６０では、第１金具６１Ａの第１基部６２Ａの上に、第１基部６２Ａの第１係合部６３Ａが取り付けられる。第１金具６１Ａには、第１基部６２Ａと第１係合部６３Ａの境界部が上方に折れ曲がって段差が形成されている。他方、第２金具６１Ｂは、第１金具６１Ａのように大きな段差を有さないが、第２基部６２Ｂと第２係合部６３Ｂの境界部で上方に小さく折れ曲がっていてもよい。固定金具６０の厚みは、外溝２４Ａ，２４Ｂに挿し込み可能な厚みであればよい。
【００７３】
第１金具６１Ａは、横方向に長い平面視略矩形形状の金具である。第１金具６１Ａの横方向長さは特に限定されないが、好適な長さの一例は、マウント金具３０の鉤部３３同士の間隔よりも長く、マウント金具３０の横方向長さよりも短い。後述の図１０に示すように、第１金具６１Ａはアース金具１５を介して鉤部３３上に配置される。第１金具６１Ａの縦方向長さは、外溝２４Ａの奥行長さと隙間Ｓの幅を足した長さよりも短い。
【００７４】
第１基部６２Ａの横方向中央部には、貫通孔６５Ａが形成されている。貫通孔６５Ａは、例えば縦方向に長い長孔である。第１基部６２Ａと第１係合部６３Ａの境界部の段差は、屋根面の傾斜によるフレーム１３Ａの底板２３Ａの浮き上がりを考慮して、例えば底板２３Ａの厚みに相当する高さよりもやや高く形成される。また、第１金具６１Ａは、第１基部６２Ａ及び第１係合部６３Ａが各先端に向かって緩やかに下がるように僅かに湾曲又は屈曲していてもよい。
【００７５】
第１係合部６３Ａは、第１基部６２Ａの軒側端部から軒側に延出している。第１係合部６３Ａは、下方に突出する突起６４Ａ（第１突起）を有することが好ましい。突起６４Ａは、第１係合部６３Ａの横方向両端部に形成されている。
【００７６】
第２金具６１Ｂは、横方向に長い平面視略矩形形状の金具である。第１金具６１Ａの横方向長さは、例えば第１金具６１Ａの横方向長さと略同一である。第２金具６１Ｂの縦方向長さは、外溝２４Ｂの奥行長さと隙間Ｓの幅を足した長さよりも短い。第２基部６２Ｂの横方向中央部には、第１金具６１Ａと同様に、縦方向に長い貫通孔６５Ｂが形成されている。第２金具６１Ｂは、第２基部６２Ｂ及び第２係合部６３Ｂが各先端に向かって緩やかに下がるように僅かに湾曲又は屈曲していてもよい。
【００７７】
第２係合部６３Ｂは、第２基部６２Ｂの棟側端部から棟側に延出している。第２係合部６３Ｂは、下方に突出する突起６４Ｂ（第２突起）を有することが好ましい。突起６４Ｂは、第２係合部６３Ｂの横方向両端部に形成されている。
【００７８】
図１０Ａ，Ｂは、太陽光発電装置１０Ｘの取り付け構造を示す縦方向断面図である。図Ａ，Ｂ１０は、マウント金具３０、ベース金具４０、及び固定金具６０を構成する第１金具６１Ａ、第２金具６１Ｂを用いて、太陽電池モジュール１１Ａの棟側端部及び太陽電池モジュール１１Ｂの軒側端部を屋根１００に固定する構造を示す。
【００７９】
図１０Ａ，Ｂに例示するように、アース金具１５を介してマウント金具３０上に載せられた太陽電池モジュール１１Ａのフレーム１３Ａの外溝２４Ａには、第１金具６１Ａの第１係合部６３Ａが挿し込まれている。また、太陽電池モジュール１１Ｂのフレーム１３Ｂの外溝２４Ｂには、第２金具６１Ｂの第２係合部６３Ｂが挿し込まれている。そして、第１金具６１Ａ及び第２金具６１Ｂが、ボルト１６を用いてマウント金具３０に係合したベース金具４０に締結されている。
【００８０】
第１金具６１Ａ及び第２金具６１Ｂは、隙間Ｓの下部において、ボルト１６が通される貫通孔６５Ａ，６５Ｂが一致するように第２基部６２Ｂを第１基部６２Ａ上に重ねて取り付けられる。ボルト１６は、貫通孔６５Ａ，６５Ｂに通されて、ベース金具４０のボルト締結部４６に螺合している。ボルト１６により連結されて一体化した２つの金具から構成される固定金具６０は、フレーム１３Ａ，１３Ｂに跨って取り付けられる。
【００８１】
太陽光発電装置１０Ｘの取り付け構造では、ベース金具４０に締結されたボルト１６が第１金具６１Ａの第１基部６２Ａ及び第２金具６１Ｂの第２基部６２Ｂを上から押圧している。そして、フレーム１３Ａ，１３Ｂの外溝２４Ａ，２４Ｂに挿し込まれた各係合部の突起６４Ａ，６４Ｂ（図９参照）が底板２３Ａ，２３Ｂの上面に強く当接している。また、第１基部６２Ａはアース金具１５を介してマウント金具３０の鉤部３３上に強く当接している。
【００８２】
第１金具６１Ａの第１係合部６３Ａは、外溝２４Ａの奥まで深く挿し込まれていることが好ましい。同様に、第２金具６１Ｂの第２係合部６３Ｂは、外溝２４Ｂの奥まで深く挿し込まれていることが好ましい。第１係合部６３Ａの軒側縁部の端面が、外溝２４Ａの最奥部に沿って略当接していてもよく、第２係合部６３Ｂの棟側縁部の端面が、外溝２４Ｂの最奥部に沿って略当接していてもよい。
【００８３】
上述の構成を備えた太陽光発電装置１０Ｘは、太陽光発電装置１０と同様に、施工が容易でメンテナンス性が良好であるにも関わらず、優れた耐荷重性を有する。太陽光発電装置１０Ｘは、例えば、フレーム１３Ａの外溝２４Ａに第１金具６１Ａを挿し込み、第１金具６１Ａ及び第２金具６１Ｂをベース金具４０に固定した後、フレーム１３Ｂの外溝２４Ｂに第２金具６１Ｂを挿し込むという簡単な手順で施工できる。
【００８４】
具体的には、まず、マウント金具３０上に載せられた太陽電池モジュール１１Ａのフレーム１３Ａの外溝２４Ａに第１金具６１Ａの第１係合部６３Ａを挿し込む。次に、第１金具６１Ａの第１基部６２Ａの上に第２金具６１Ｂの第２基部６２Ｂを配置し、各金具をボルト１６でベース金具４０に固定する。そして、第２金具６１Ｂの棟側に太陽電池モジュール１１Ｂを配置し、フレーム１３Ｂの外溝２４Ｂに第２係合部６３Ｂを挿し込むことで、フレーム１３Ａ，１３Ｂに跨って固定金具６０が取り付けられる。ボルト１６は、第２係合部６３Ｂを外溝２４Ｂに挿し込んだ後、ベース金具４０に締結してもよい。
【００８５】
太陽光発電装置１０Ｘにおいても、目的とする太陽電池モジュール１１だけを容易に取り外して交換することが可能である。例えば、交換対象の太陽電池モジュール１１を固定するボルト１６を取り外した後、当該モジュールの棟側に設置された第２金具６１Ｂを第１金具６１Ａと重ならない位置まで横方向にずらすことで、当該モジュールだけを取り外すことができる。
【００８６】
次に、図１１及び図１２Ａ，Ｂを参照しながら、実施形態の他の一例である太陽光発電装置１０Ｙについて詳説する。以下では、上述の太陽光発電装置１０，１０Ｘと共通する構成要素には同じ符号を用いて重複する説明を省略する。太陽光発電装置１０Ｙ（図１２Ａ参照）は、固定金具５０に変えて固定金具７０（図１１参照）を用いている点で、太陽光発電装置１０と異なる。また、固定金具６０の下にはスペーサ９１が設けられ、固定金具６０はボルト１８を用いてベース金具４０に締結されている。太陽光発電装置１０Ｙは、その他の点において太陽光発電装置１０と共通する。
【００８７】
図１１は、固定金具７０の斜視図である。図１１に例示するように、固定金具７０は、第１金具７１Ａと、第２金具７１Ｂと、押え金具７１Ｃとで構成される。第１金具７１Ａはフレーム１３Ａの外溝２４Ａに挿し込まれる第１係合部７３Ａを有し、第２金具７１Ｂはフレーム１３Ｂの外溝２４Ｂに挿し込まれる第２係合部７３Ｂを有する。押え金具７１Ｃは、第１金具７１Ａと第２金具７１Ｂとに跨って配置され、第１金具７１Ａ及び第２金具７１Ｂを上から押え付ける金具である。押え金具７１Ｃは、第１金具７１Ａの第１基部７２Ａ及び第２金具７１Ｂの第２基部７２Ｂ上に配置される。
【００８８】
第１金具７１Ａ及び第２金具７１Ｂは、フレーム１３Ａ，１３Ｂの隙間Ｓにおいて、上下方向に重なり合うことなく、軒棟方向に隣り合って配置される。第１金具７１Ａ及び第２金具７１Ｂは、例えば、横方向に長い平面視略矩形形状の金具であって、互いに略同一の横方向長さ、縦方向長さを有する。好適な横方向長さの一例は、マウント金具３０の鉤部３３同士の間隔よりも長く、マウント金具３０の横方向長さよりも短い。第１金具７１Ａ及び第２金具７１Ｂは、押え金具７１Ｃの配置に支障がなく、各係合部を外溝２４Ａ，２４Ｂの奥まで挿し込んだ状態で互いに接触しない縦方向長さを有することが好ましい。
【００８９】
第１金具７１Ａの第１基部７２Ａの横方向中央部には、ボルト１８を通すための切欠き７５Ａが形成されている。また、第２金具７１Ｂの第２基部７２Ｂの横方向中央部にも切欠き７５Ｂが形成されている。第１金具７１Ａ及び第２金具７１Ｂは、切欠き７５Ａ，７５Ｂが軒棟方向に重なるように軒棟方向に隣り合って配置され、当該各金具の切欠き７５Ａ，７５Ｂが形成された部分にボルト１８が通される。
【００９０】
第１基部７２Ａの棟側端部は、上方に折り曲げられていてもよい。第１基部７２Ａの棟側端部には、切欠き７５Ａの両側に立壁部が形成されている。当該立壁部は、第１基部７２Ａ上に配置される押え金具７１Ｃの基部７６に接触しない高さで形成され、例えば第１金具７１Ａの取り付け、取り外しを行う際に使用される。第２基部７２Ｂの軒側端部にも、切欠き７５Ｂの両側に同様の立壁部が形成されていてもよい。
【００９１】
第１金具７１Ａの第１係合部７３Ａは、第１基部７２Ａの軒側端部から軒側に延出しており、第２金具７１Ｂの第２基部７２Ｂは、第２基部７２Ｂの棟側端部から棟側に延出している。第１係合部７３Ａは下方に突出する突起７４Ａ（第１突起）を、第２係合部７３Ｂは下方に突出する突起７４Ｂ（第２突起）をそれぞれ有することが好ましい。突起７４Ａ，７４Ｂは、各係合部の横方向両端部に形成されている。
【００９２】
押え金具７１Ｃは、横方向に長い側面視略逆Ｕ字形状の金具である。押え金具７１Ｃは、ボルト１８を通す貫通孔７９が形成された基部７６と、基部７６の軒側端部から下方に延出した第１脚部７７と、基部７６の棟側端部から下方に延出した第２脚部７８とを有する。押え金具７１Ｃの横方向長さは、例えば、第１金具７１Ａ及び第２金具７１Ｂの横方向長さよりも短い。押え金具７１Ｃの縦方向長さ（幅）は、隙間Ｓに挿入可能で（隙間Ｓの幅未満）、且つ第１金具７１Ａと第２金具７１Ｂとに跨って配置可能な長さとされる。
【００９３】
第１脚部７７は、第１金具７１Ａの第１基部７２Ａ上に当接する部分である。第２脚部７８は、第２金具７１Ｂの第２基部７２Ｂ上に当接する部分である。後述の図１２に示すように、マウント金具３０の上端からの第１基部７２Ａの上面の高さは、第２基部７２Ｂの上面の高さよりも高いので、第２脚部７８は第１脚部７７よりも長く形成される。各脚部の下端には、複数の突起が形成されていてもよい。
【００９４】
図１２Ａ，Ｂは、太陽光発電装置１０Ｙの取り付け構造を示す縦方向断面図である。図１２Ａ，Ｂは、マウント金具３０、ベース金具４０、及び固定金具７０を構成する第１金具７１Ａ、第２金具７１Ｂ、押え金具７１Ｃを用いて、太陽電池モジュール１１Ａの棟側端部及び太陽電池モジュール１１Ｂの軒側端部を屋根１００に固定する構造を示す。
【００９５】
図１２Ａ，Ｂに例示するように、アース金具１５を介してマウント金具３０上に載せられた太陽電池モジュール１１Ａのフレーム１３Ａの外溝２４Ａには、第１金具７１Ａの第１係合部７３Ａが挿し込まれている。また、太陽電池モジュール１１Ｂのフレーム１３Ｂの外溝２４Ｂには、第２金具７１Ｂの第２係合部７３Ｂが挿し込まれている。そして、ボルト１８を用いてベース金具４０に締結された押え金具７１Ｃにより、第１金具７１Ａ及び第２金具７１Ｂが上から押え付けられている。
【００９６】
第１金具７１Ａ及び第２金具７１Ｂの下には、当該各金具を支持するスペーサ９１が設けられていてもよい。スペーサ９１は、例えば幅が隙間Ｓの幅より短く、横方向に長い板状の部材であって、アース金具１５を介してマウント金具３０の鉤部３３上に配置される。屋根面の傾斜によりフレーム１３Ａの底板２３Ａの先端が少し浮き上がっているので、スペーサ９１は、軒側部分の厚みが棟側部分よりも厚く形成されている。また、スペーサ９１にはボルト１８を通す貫通孔が形成されている。
【００９７】
押え金具７１Ｃの貫通孔７９に通されたボルト１８は、第１金具７１Ａ及び第２金具７１Ｂの切欠き７５Ａ，７５Ｂが形成された部分、スペーサ９１及びアース金具１５の各貫通孔を通って、ベース金具４０のボルト締結部４６に螺合している。ボルト１８により第１金具７１Ａ及び第２金具７１Ｂ上に押え金具７１Ｃが固定されて一体化した３つの金具から構成される固定金具７０は、フレーム１３Ａ，１３Ｂに跨って取り付けられている。
【００９８】
第１金具７１Ａの第１基部７２Ａは、スペーサ９１上に配置され、押え金具７１Ｃの第１脚部７７によって上から押えられている。第１係合部７３Ａは、フレーム１３Ａの外溝２４Ａに深く挿し込まれ、第１係合部７３Ａの端面が外溝２４Ａの最奥部に沿って略当接している。第１基部７２Ａが押え金具７１Ｃによって上から押圧されることで、外溝２４Ａに挿し込まれた第１係合部７３Ａの突起７４Ａ（図１１参照）が底板２３Ａの上面に強く当接している。また、第１基部７２Ａはマウント金具３０の鉤部３３上に配置されたスペーサ９１の軒側部分に強く当接している。
【００９９】
第２金具７１Ｂの第２基部７２Ｂは、スペーサ９１上に配置され、押え金具７１Ｃの第２脚部７８によって上から押えられている。第２係合部７３Ｂは、フレーム１３Ｂの外溝２４Ｂに深く挿し込まれ、第２係合部７３Ｂの端面が外溝２４Ｂの最奥部に沿って略当接している。第１基部７２Ａが押え金具７１Ｃによって上から押圧されることで、外溝２４Ｂに挿し込まれた第２係合部７３Ｂの突起７４Ｂ（図１１参照）が底板２３Ｂの上面に強く当接している。また、第２基部７２Ｂはマウント金具３０の鉤部３３上に配置されたスペーサ９１の棟側部分に強く当接している。
【０１００】
上述の構成を備えた太陽光発電装置１０Ｙは、太陽光発電装置１０，１０Ｘと同様に、施工が容易でメンテナンス性が良好であるにも関わらず、優れた耐荷重性を有する。太陽光発電装置１０Ｙは、例えば、フレーム１３Ａの外溝２４Ａに第１金具７１Ａを、フレーム１３Ｂの外溝２４Ｂに第２金具７１Ｂをそれぞれ挿し込み、第１金具７１Ａ及び第２金具７１Ｂに跨って押え金具７１Ｃを取り付けるという簡単な手順で施工できる。
【０１０１】
具体的には、まず、マウント金具３０上に載せられた太陽電池モジュール１１Ａのフレーム１３Ａの外溝２４Ａに第１金具７１Ａの第１係合部７３Ａを挿し込み、第１金具７１Ａの第１基部７２Ａの下にスペーサ９１を配置する。次に、第２金具７１Ｂの第２係合部７３Ｂがフレーム１３Ｂの外溝２４Ｂに挿し込まれた太陽電池モジュール１１Ｂをスペーサ９１の棟側に配置する。そして、第１金具７１Ａと第２金具７１Ｂとに跨って押え金具７１Ｃを配置し、押え金具７１Ｃの貫通孔７９に通されたボルト１８をベース金具４０に締結する。なお、押え金具７１Ｃを取り付けた後、第２金具７１Ｂの棟側に太陽電池モジュール１１Ａを配置して外溝２４Ｂに第２係合部７３Ｂを挿し込むことも可能である。
【０１０２】
太陽光発電装置１０Ｙにおいても、目的とする太陽電池モジュール１１だけを容易に取り外して交換することが可能である。例えば、交換対象の太陽電池モジュール１１を固定するボルト１８を緩めて押え金具７１Ｃを取り外すことで、当該モジュールだけを取り外すことができる。
【０１０３】
図１３に例示するように、フレーム１３Ａ，１３Ｂの隙間Ｓ上には、基部８１の上面に立設した雪止め８４を有するカバー８０Ｙが取り付けられていてもよい。雪止め８４は、基部８１の軒側部分において、カバー８０Ｙを支持金具８５に固定するネジ８６の頭部よりも高く形成されている。雪止め８４の高さは、例えば７ｍｍ程度である。雪止め８４は、カバー８０Ｙの全長にわたって形成されてもよいが、その場合は所定の間隔で水抜き孔を形成することが好ましい。
【符号の説明】
【０１０４】
１０，１０Ｘ，１０Ｙ  太陽光発電装置、１１，１１Ａ，１１Ｂ  太陽電池モジュール、１２，１２Ａ，１２Ｂ  太陽電池パネル、１３，１３Ａ，１３Ｂ  フレーム、１５  アース金具、１６，１８  ボルト、１７  仮止めボルト、２０，２０Ａ，２０Ｂ  本体部、２１，２１Ａ，２１Ｂ  鉤部、２２  内溝、２３，２３Ａ，２３Ｂ  底板、２４，２４Ａ，２４Ｂ  外溝、２５，２５Ａ，２５Ｂ  内鍔部、３０  マウント金具、３０ａ  軒側縁部、３０ｂ  棟側縁部、３１  基部、３１ａ  上壁部、３１ｂ  側壁部、３１ｃ  凹部、３２  フランジ部、３２ａ  外端、３２ｂ  内端、３３  鉤部、３４  ガイドレール部、３５  貫通孔、３６  結束バンド用孔、３７  排水溝、３８  位置合わせマーク、４０  ベース金具、４１  基部、４２  延出部、４３  係合部、４４  棟側立壁部、４６  ボルト締結部、４７  仮止めボルト締結部、４８  開口部、５０  固定金具、５０ａ  軒側縁部、５０ｂ  棟側縁部、５１  基部、５２  第１係合部、５３  第２係合部、５４  突起、５５  貫通孔、５６  器具挿入孔、６０  固定金具、６１Ａ  第１金具、６１Ｂ  第２金具、６２Ａ  第１基部、６２Ｂ  第２基部、６３Ａ  第１係合部、６３Ｂ  第２係合部、６４Ａ，６４Ｂ  突起、６５Ａ，６５Ｂ  貫通孔、７０  固定金具、７１Ａ  第１金具、７１Ｂ  第２金具、７１Ｃ  押え金具、７２Ａ  第１基部、７２Ｂ  第２基部、７３Ａ  第１係合部、７３Ｂ  第２係合部、７４Ａ，７４Ｂ  突起、７５Ａ，７５Ｂ  切欠き、７６  基部、７７  第１脚部、７８  第２脚部、７９  貫通孔、８０，８０Ｙ  カバー、８１  基部、８２  脚部、８４  雪止め、８５  支持金具、８６，８７  ネジ、８８  爪部、１００  屋根、９０，９１  スペーサ、１０１  屋根材、１０２  野地板、１０３  ゴム製シート、１０５  スペーサ、１０６  貫通孔、１０７  ネジ、Ｓ  隙間
【図１】
0006771201.tif 000002
【図２】
0006771201.tif 000003
【図３】
0006771201.tif 000004
【図４】
0006771201.tif 000005
【図５】
0006771201.tif 000006
【図６】
0006771201.tif 000007
【図７】
0006771201.tif 000008
【図８Ａ】
0006771201.tif 000009
【図８Ｂ】
0006771201.tif 000010
【図９】
0006771201.tif 000011
【図１０Ａ】
0006771201.tif 000012
【図１０Ｂ】
0006771201.tif 000013
【図１１】
0006771201.tif 000014
【図１２Ａ】
0006771201.tif 000015
【図１２Ｂ】
0006771201.tif 000016
【図１３】
0006771201.tif 000017